(57)【要約】【課題】電気光学装置において、縦クロストークを低減し、高品質な表示を可能とする。【解決手段】電気光学装置は、複数の走査線（Ｙｎ）と、複数のデータ線（Ｘｍ）と、複数の走査線と複数のデータ線との交差に対応して設けられた複数の画素（２）と、複数のデータ線に対応して設けられており、所定の期間において、所定の電圧レベルを有する補正電圧と、Ｎ本のデータ線を１群とするデータ線群毎に駆動するための時系列的なデータ電圧とが出力される出力線（ＤＯｉ）と、出力線に出力された補正電圧を、データ線群をなすＮ本のデータ線のうちＭ本のデータ線に対して同時に供給すると共に、出力線に出力された時系列的なデータ電圧を時分割し、時分割することにより得られた画素の階調を規定するデータ電圧を、データ線群をなすＮ本のデータ線のいずれかに振り分ける時分割回路（４２）とを備える。【選択図】図４
2008225036.tif 000002
【特許請求の範囲】
【請求項１】
複数の走査線と、
複数のデータ線と、
前記複数の走査線と前記複数のデータ線との交差に対応して設けられた複数の画素と、
前記複数のデータ線に対応して設けられており、所定の期間において、所定の電圧レベルを有する補正電圧と、Ｎ（但し、Ｎは３以上の自然数）本の前記データ線を１群とするデータ線群毎に駆動するための時系列的なデータ電圧とが出力される出力線と、
前記出力線に出力された前記補正電圧を、前記データ線群をなすＮ本のデータ線のうちＭ（但し、Ｍは２以上、Ｎ−１以下の自然数）本のデータ線に対して同時に供給すると共に、前記出力線に出力された前記時系列的なデータ電圧を時分割し、当該時分割することにより得られた前記画素の階調を規定する前記データ電圧を、前記データ線群をなすＮ本のデータ線のいずれかに振り分ける時分割回路と
を備えたことを特徴とする電気光学装置。
【請求項２】
前記補正電圧は、表示すべき前記画素の階調に依存しない電圧であることを特徴とする請求項１に記載された電気光学装置。
【請求項３】
前記補正電圧は、前記Ｍ本のデータ線の各々に印加される前記データ電圧の平均であることを特徴とする請求項１に記載された電気光学装置。
【請求項４】
前記時分割回路は、前記データ線群において、前記補正電圧が供給された前記データ線から順に、前記時系列的なデータ電圧を前記データ線に振り分けることを特徴とする請求項１から３のいずれか一項に記載された電気光学装置。
【請求項５】
前記時分割回路は、前記所定の期間毎に、前記補正電圧及び前記時系列的なデータ電圧を、前記データ線群をなすＮ本のデータ線に供給する順序を入れ替えることを特徴とする請求項４に記載された電気光学装置。
【請求項６】
前記時分割回路は、前記時系列的なデータ電圧を、前記データ線群をなすＮ本のデータ線に振り分ける期間よりも短い期間で、前記補正電圧を、前記データ線群をなすＮ本のデータ線に供給することを特徴とする請求項１から５のいずれか一項に記載された電気光学装置。
【請求項７】
請求項１から６のいずれか一項に記載された電気光学装置を具備してなることを特徴とする電子機器。
【請求項８】
複数の走査線と、複数のデータ線と、前記複数の走査線と前記複数のデータ線との交差に対応して設けられた複数の画素と、前記複数のデータ線に対応して設けられている出力線とを備えた電気光学装置を駆動する電気光学装置の駆動方法であって、
所定の電圧レベルを有する補正電圧を前記出力線に出力する工程と、
該出力された補正電圧を、Ｎ（但し、Ｎは３以上の自然数）本の前記データ線を１群とするデータ線群において、Ｍ（但し、Ｍは２以上、Ｎ−１以下の自然数）本の前記データ線に対して同時にする工程と、
前記補正電圧が前記出力線に出力された後に、時系列的なデータ電圧を前記出力線に出力する工程と、
該出力された時系列的なデータ電圧を時分割し、当該時分割することにより得られた画素の階調を規定する前記データ電圧を、データ線群をなすＮ本のデータ線のいずれかに振り分ける工程と
を備えたことを特徴とする電気光学装置の駆動方法。
【発明の詳細な説明】
【技術分野】
【０００１】
本発明は、例えば液晶装置等の電気光学装置及びその駆動方法、並びに該電気光学装置を備えた、例えば液晶プロジェクタ等の電子機器の技術分野に関する。
【背景技術】
【０００２】
この種の電気光学装置においては、画素の階調を規定するデータ電圧が供給されるデータ線と、このデータ線に接続された画素列との間に寄生容量が存在する。データ線と画素列とは、寄生容量を介して容量結合しており、この容量結合等に起因して、装置の動作時に縦クロストーク（データ線に沿った方向の表示ムラ）が発生することがある。また、画素トランジスタがオフしている時のリーク電流（オフリーク）の影響で画素に保持されている電圧が次第に変化することによっても、縦クロストークが発生することがある。
【０００３】
このような縦クロストークの対策として、例えば、特許文献１には、１水平走査期間において、データ電圧の供給に先立ち、データ電圧とは逆極性の電圧（補正電圧）をデータ線に供給する電気光学装置の駆動方法が開示されている。
【０００４】
更に、特許文献２では、補正電圧を複数のデータ線に対し１本ずつ順次供給するという技術が開示されている。また、特許文献３では、補正電圧を複数のデータ線に対し一斉に供給するという技術が開示されている。
【０００５】
【特許文献１】特開平６−３４９４１号公報
【特許文献２】特開２００５−４３４１７号公報
【特許文献３】特開２００５−４３４１８号公報
【発明の開示】
【発明が解決しようとする課題】
【０００６】
しかしながら、上述した補正電圧を複数のデータ線に対し１本ずつ順次供給するという技術においては、補正電圧を複数のデータ線全てに供給するのに時間がかかってしまうと共に駆動電圧が高くなってしまうという技術的問題点がある。他方、補正電圧を複数のデータ線に対し一斉に供給するという技術においては、複数のデータ線夫々に適切な補正電圧を供給することが困難であるという技術的問題点がある。
【０００７】
本発明は、例えば上述した問題点に鑑みなされたものであり、縦クロストークを低減し、高品質な表示が可能である電気光学装置、電気光学装置の駆動方法および電子機器を提供することを課題とする。
【課題を解決するための手段】
【０００８】
本発明の電気光学装置は上記課題を解決するために、複数の走査線と、複数のデータ線
と、前記複数の走査線と前記複数のデータ線との交差に対応して設けられた複数の画素と、前記複数のデータ線に対応して設けられており、所定の期間において、所定の電圧レベルを有する補正電圧と、Ｎ（但し、Ｎは３以上の自然数）本の前記データ線を１群とするデータ線群毎に駆動するための時系列的なデータ電圧とが出力される出力線と、前記出力線に出力された前記補正電圧を、前記データ線群をなすＮ本のデータ線のうちＭ（但し、Ｍは２以上、Ｎ−１以下の自然数）本のデータ線に対して同時に供給すると共に、前記出力線に出力された前記時系列的なデータ電圧を時分割し、当該時分割することにより得られた前記画素の階調を規定する前記データ電圧を、前記データ線群をなすＮ本のデータ線のいずれかに振り分ける時分割回路とを備える。
【０００９】
本発明の電気光学装置によれば、その動作時に、出力線には、例えば１水平走査期間等である所定の期間において、所定の電圧レベルを有する補正電圧と時系列的なデータ電圧とが出力される。補正電圧は、所定の期間のうち、データ電圧を出力すべき期間に先立つ期間に出力される。出力線に出力された補正電圧は、各データ線に出力される。この際、補正電圧は時分割回路により、データ線群をなすＮ本のデータ線において、Ｍ本のデータ線に対して同時に供給される。例えば、データ線群が４本のデータ線からなる場合には、各データ線群において、２本のデータ線を組として各組毎に同時に供給される。尚、データ線群における、上述したＭ本のデータ線以外のデータ線に対するデータ電圧の供給は、１本毎に行われてもよいし、複数本同時に行われてもよい。具体的には、例えばＮ＝６、且つ、Ｍ＝３であるとすると、３本、２本、１本の順や、１本、１本、３本、１本の順等で、データ線群をなす６本のデータ線全てに、データ電圧が供給される。また、Ｎ本のデータ線からなるデータ線群は複数あり、典型的には互いに同時に、夫々に対して同様の供給が行われる。
【００１０】
補正電圧が出力されると、時分割回路は、出力線に出力された時系列的なデータ電圧を時分割し、時分割することにより得られた画素の階調を規定する個々のデータ電圧を複数のデータ線のいずれかに振り分ける。
【００１１】
本発明では特に、データ電圧がデータ線に供給される前に補正電圧を供給することにより、データ線夫々の電圧を均一化している。これにより、例えば縦クロストーク等を低減し、表示品質を向上させることができる。更に、補正電圧はＭ本のデータ線に対し同時に供給されるため、供給するのにかかる時間を短縮できると共に、１本のデータ線毎に補正電圧を供給する場合と比較して供給回数が減少する。よって、駆動回路の消費電力を低減することが可能となる。また、Ｍ本のデータ線に対し同時に供給する補正電圧の大きさを変更或いは調節することができる（即ち、データ線群をなすＮ本のデータ線のうち、Ｍ本のデータ線に同時に供給される補正電圧の電圧値と、該Ｍ本のデータ線以外のデータ線に供給される補正電圧の電圧値とを互いに異なる値に設定することができる）ので、全てのデータ線に同時に補正電圧を供給する場合と比較して、より適切な補正電圧を供給することができ、その結果画質を向上させることが可能である。
【００１２】
以上説明したように、本発明の電気光学装置によれば、高品質な表示が可能である。
【００１３】
本発明の電気光学装置の一態様では、前記補正電圧は、表示すべき前記画素の階調に依存しない電圧である。
【００１４】
この態様によれば、補正電圧を画素の階調に依存しない電圧とすることで、補正電圧を画素の階調に応じて変化させなくて済む。よって、補正電圧を出力する回路の構成が複雑化することを防止できる。従って、コストの増大や装置が大型化してしまうのを低減或いは防止することが可能である。
【００１５】
本発明の電気光学装置の他の態様では、前記補正電圧は、前記Ｍ本のデータ線の各々に印加される前記データ電圧の平均である。
【００１６】
この態様によれば、補正電圧として、Ｍ本のデータ線の各々に印加されるデータ電圧の平均電圧が印加される。これにより、例えばＭ本のデータ線に印加される夫々のデータ電圧に対応した補正電圧を設定しなくとも済む。即ち、補正電圧は、データ線１本毎ではなく、Ｍ本毎に設定すればよい。これにより、補正電圧を出力する回路の構成が複雑化することを防止できる。従って、コストの増大や装置が大型化してしまうのを低減或いは防止することが可能である。
【００１７】
本発明の電気光学装置の他の態様では、前記時分割回路は、前記データ線群において、前記補正電圧が供給された前記データ線から順に、前記時系列的なデータ電圧を前記データ線に振り分ける。
【００１８】
この態様によれば、補正電圧が供給されたデータ線から順に、データ電圧が供給される。よって、補正電圧が供給されてからデータ電圧が供給されるまでの期間（即ち、補正電圧が維持される期間）に、データ線毎のバラツキが生じてしまうことを低減或いは防止できる。従って、補正電圧が供給された後に電圧が変化し、データ線毎に電圧のバラツキが生じてしまうことを低減或いは防止できる。
【００１９】
以上の結果、縦クロストーク等を効果的に抑制することができ、高品質な表示を実現することが可能となる。
【００２０】
上述した補正電圧が供給されたデータ線から順に、データ電圧を振り分ける態様では、前記時分割回路は、前記所定の期間毎に、前記補正電圧及び前記時系列的なデータ電圧を、前記データ線群をなすＮ本のデータ線に供給する順序を入れ替えるように構成してもよい。
【００２１】
このように構成すれば、例えば１水平走査期間等である所定の期間毎に、補正電圧及び時系列的なデータ電圧がデータ線群をなすＮ本のデータ線に供給される順序が入れ替えられる。これにより、補正電圧が供給されてからデータ電圧が供給されるまでの期間に、データ線毎のバラツキが生じている場合であっても、バラツキを平均化することができる。よって、データ線毎に電圧のバラツキが生じてしまうことを低減或いは防止できる。従って、縦クロストーク等を効果的に抑制し、高品質な表示を実現することが可能となる。
【００２２】
本発明の電気光学装置の他の態様では、前記時分割回路は、前記時系列的なデータ電圧を、前記データ線群をなすＮ本のデータ線に振り分ける期間よりも短い期間で、前記補正電圧を、前記データ線群をなすＮ本のデータ線に供給する。
【００２３】
この態様によれば、データ電圧を、データ線群をなすＮ本のデータ線に振り分ける期間よりも短い期間で、補正電圧を、データ線群をなすＮ本のデータ線に供給する。言い換えれば、データ電圧を供給する期間は、補正電圧を供給する期間より長い。よって、データ電圧を供給するための期間を確保するのが容易になる。特に、Ｎ本のデータ線のうち、最後にデータ電圧が供給されるデータ線に対する時間的制約が緩和される。従って、確実にデータ電圧の供給を行うことができ、より高精細な表示を実現することが可能となる。
【００２４】
本発明の電子機器は上記課題を解決するために、上述した本発明の電気光学装置を具備してなる。
【００２５】
本発明の電子機器によれば、上述した本発明に係る電気光学装置を具備してなるので、縦クロストークを低減し、高品質な表示が可能である、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００２６】
本発明に係る電気光学装置の駆動方法は上記課題を解決するために、複数の走査線と、複数のデータ線と、前記複数の走査線と前記複数のデータ線との交差に対応して設けられた複数の画素と、前記複数のデータ線に対応して設けられている出力線とを備えた電気光学装置を駆動する電気光学装置の駆動方法であって、所定の電圧レベルを有する補正電圧を前記出力線に出力する工程と、該出力された補正電圧を、Ｎ（但し、Ｎは３以上の自然数）本の前記データ線を１群とするデータ線群において、Ｍ（但し、Ｍは２以上、Ｎ−１以下の自然数）本の前記データ線に対して同時にする工程と、前記補正電圧が前記出力線に出力された後に、時系列的なデータ電圧を前記出力線に出力する工程と、該出力された時系列的なデータ電圧を時分割し、当該時分割することにより得られた画素の階調を規定する前記データ電圧を、データ線群をなすＮ本のデータ線のいずれかに振り分ける工程とを備える。
【００２７】
本発明に係る電気光学装置の駆動方法によれば、上述した本発明の電気光学装置と同様に、例えば縦クロストーク等を低減し、表示品質を向上させることができる。更に、補正電圧はＭ本のデータ線に対し同時に供給されるため、供給するのにかかる時間を短縮できると共に、１本のデータ線毎に補正電圧を供給する場合と比較して供給回数が減少する。よって、駆動回路の消費電力を低減することが可能となる。また、Ｍ本のデータ線に対し同時に供給する補正電圧の大きさを変更或いは調節することができるので、全てのデータ線に同時に補正電圧を供給する場合と比較して、より適切な補正電圧を供給することができ、その結果画質を向上させることが可能である。本発明に係る電気光学装置の駆動方法によれば、電気光学装置において高品質な表示が可能である。
【００２８】
尚、本発明に係る電気光学装置の駆動方法においても、上述した本発明の電気光学装置における各種態様と同様の各種態様を採ることが可能である。
【００２９】
本発明の作用及び他の利得は次に説明する実施するための最良の形態から明らかにされる。
【発明を実施するための最良の形態】
【００３０】
以下では、本発明の実施形態について図を参照しつつ説明する。
【００３１】
＜第１実施形態＞
先ず、第１実施形態に係る電気光学装置について、図１から図４を参照して説明する。ここに図１は、本実施形態に係る電気光学装置の構成を示すブロック図であり、図２は、画素部の構成を示す等価回路図である。また図３は、ドライバＩＣの構成を示すブロック図であり、図４は、本実施形態に係る電気光学装置の時分割駆動のタイミングチャートである。
【００３２】
図１において、表示部１は、例えば、ＴＦＴ（Thin Film Transistor）等のスイッチング素子によって液晶素子を駆動するアクティブマトリクス型の表示パネルである。この表示部１には、ｍドット×ｎライン分の画素２がマトリクス状（二次元平面的）に並んでいる。また、表示部１には、それぞれが行方向（即ち、Ｘ方向）に延在しているｎ本の走査線Ｙ１〜Ｙｎと、それぞれが列方向（即ち、Ｙ方向）に延在しているｍ本のデータ線Ｘ１〜Ｘｍとが設けられており、これらの交差に対応して画素２が配置されている。尚、以下の説明において、表示部１中のある画素２を特定する場合、データ線Ｘの添字１〜ｍと走査線Ｙの添字１〜ｎとを用い、これらの交差（１〜ｍ，１〜ｎ）として表現するものとする。例えば、最も左上の画素２は（１，１）であり、最も右下の画素２は（ｍ，ｎ）となる。
【００３３】
図２において、１つの画素２は、スイッチング素子であるＴＦＴ２１、液晶容量２２及び蓄積容量２３によって構成されている。ＴＦＴ２１のソースは１本のデータ線Ｘに接続され、そのゲートは１本の走査線Ｙに接続されている。同一列に並んだ画素２に関しては、それぞれのＴＦＴ２１のソースが同じデータ線Ｘに接続されている。また、同一行に並んだ画素２に関しては、それぞれのＴＦＴ２１のゲートが同じ走査線Ｙに接続されている。ＴＦＴ２１のドレインは、並列に設けられた液晶容量２２と蓄積容量２３とに共通接続されている。液晶容量２２は、画素電極２２ａと、対向電極２２ｂと、これらの電極２２ａ及び２２ｂ間に挟持された液晶層とによって構成されている。蓄積容量２３は、画素電極２２ａと、図示しない共通容量電極との間に形成されており、電圧Ｖｃｓが供給される。この蓄積容量２３によって、液晶に蓄積される電荷のリークの影響が抑制される。一方、画素電極２２ａ側には、ＴＦＴ２１を介して、データ電圧等が印加され、この印加される電圧レベルに応じて、液晶容量２２と蓄積容量２３とが充放電される。これにより、画素電極２２ａと対向電極２２ｂとの間の電位差（即ち、液晶の印加電圧）に応じて、液晶層の透過率が設定され、画素２の階調が設定される。
【００３４】
図１に戻り、画素２の駆動は、液晶の長寿命化を図るべく、所定の期間毎に電圧極性を反転させる交流化駆動によって行われる。電圧極性は、液晶層に作用する電界の向き、換言すれば、液晶層の印加電圧の正逆に基づいて定義される。本実施形態では、交流化駆動の一方式であるコモンＤＣ駆動、すなわち、対向電極２２ｂに印加される電圧Ｖｌｃｏｍと共通容量電極に印加される電圧Ｖｃｓとを一定に維持し、画素電極２２ａ側の極性を反転させる駆動方式を採用している。
【００３５】
制御回路５は、図示しない上位装置より入力される垂直同期信号Ｖｓ、水平同期信号Ｈｓ、ドットクロック信号ＤＣＬＫ等の外部信号に基づいて、走査線駆動回路３、データ線駆動回路４及びフレームメモリ６を同期制御する。この同期制御の下、走査線駆動回路３及びデータ線駆動回路４は、互いに協働して表示部１の表示制御を行う。尚、本実施形態では、高速表示によってフリッカーの発生を抑制すべく、リフレッシュレート（即ち、垂直同期周波数）を通常の２倍に相当する１２０［Ｈｚ］に設定した倍速駆動を採用している。この場合、垂直同期信号Ｖｓによって規定される１フレーム（即ち、１／６０［Ｓｅｃ］）は２つのフィールドで構成され、１フレームにおいて２回の線順次走査が行われることになる。
【００３６】
走査線駆動回路３は、シフトレジスタ、出力回路等を主体に構成されており、各走査線Ｙ１〜Ｙｎに走査信号ＳＥＬを出力することで、１本の走査線Ｙが選択される期間に相当する１水平走査期間（以下「１Ｈ」という）毎に、走査線Ｙ１〜Ｙｎを順次選択していく。走査信号ＳＥＬは、高電位レベル（以下「Ｈレベル」という）又は低電位レベル（以下「Ｌレベル」という）の２値的なレベルをとり、データの書込対象となる画素行に対応する走査線ＹはＨレベル、これ以外の走査線ＹはＬレベルにそれぞれ設定される。この走査信号ＳＥＬにより、データの書込対象となる画素行が順次選択され、画素２に書き込まれたデータは１フィールドに亘って保持される。
【００３７】
フレームメモリ６は、表示部１の解像度に相当するｍ×ｎビットのメモリ空間を少なくとも有し、上位装置から入力される表示データをフレーム単位で格納・保持する。フレームメモリ６へのデータの書き込み、及び、フレームメモリ６からのデータの読み出しは、制御回路５によって制御される。ここで、画素２の階調を規定する表示データＤは、一例として、Ｄ０〜Ｄ５の６ビットで構成される６４階調データである。フレームメモリ６より読み出された表示データＤは、６ビットのバスを介して、データ線駆動回路４にシリアルに転送される。
【００３８】
フレームメモリ６の後段に設けられたデータ線駆動回路４は、走査線駆動回路３と協働して、データの書込対象となる画素行毎に供給すべきデータをデータ線Ｘ１〜Ｘｍに出力する。データ線駆動回路４は、ドライバＩＣ４１及び時分割回路４２で構成されている。ドライバＩＣ４１は、画素２がマトリクス状に形成された表示パネルとは別体で設けられており、ｉ本の出力ピンＰＩＮ１〜ＰＩＮｉには、出力線ＤＯ１〜ＤＯｉが接続されている。時分割回路４２は、製造コストの低減を図るべく、ポリシリコンＴＦＴ等によって表示パネルに一体形成されている。
【００３９】
ドライバＩＣ４１は、今回データを書き込む画素行に対するデータの出力と、次回にデータを書き込む画素行に関するデータの点順次的なラッチ（即ち、保持）とを同時に行う。以下では、ドライバＩＣ４１の構成と動作について詳細に説明する。
【００４０】
図３において、ドライバＩＣ４１には、Ｘシフトレジスタ４１ａ、第１のラッチ回路４１ｂ、第２のラッチ回路４１ｃ、切替スイッチ群４１ｄ及びＤ／Ａ変換回路４１ｅといった主要な回路が内蔵されている。Ｘシフトレジスタ４１ａは、１Ｈの最初に供給されるスタート信号ＳＴをクロック信号ＣＬＸにしたがって転送し、ラッチ信号Ｓ１，Ｓ２，Ｓ３，…，ＳｍのいずれかをＨレベル、それ以外をＬレベルに設定する。第１のラッチ回路４１ｂは、ラッチ信号Ｓ１，Ｓ２，Ｓ３，…，Ｓｍの立ち下がり時において、シリアルデータとして供給されたｍ個の６ビットデータＤを順次ラッチする。第２のラッチ回路４１ｃは、第１のラッチ回路４１ｂにおいてラッチされたデータＤをラッチパルスＬＰの立ち下がり時において同時にラッチする。ラッチされたｍ個のデータＤは、次の１Ｈにおいて、デジタルデータであるデータ信号ｄ１〜ｄｍとして、第２のラッチ回路４１ｃよりパラレルに出力される。
【００４１】
データ信号ｄ１〜ｄｍは、一例として、４本のデータ線単位で設けられたｍ／４個（＝ｉ個）の切替スイッチ群４１ｄによって、４画素分の時系列的なデータとしてグループ化される。ここで、単一の切替スイッチ群４１ｄは、５つのスイッチのセットとして図示されているが、実際には、６ビット分のスイッチ群を５系統有している。同一系統中の６個のスイッチは常に同様に動作するので、以下、６個のスイッチを１つのスイッチとみなして説明する。
【００４２】
それぞれの切替スイッチ群４１ｄには、第２のラッチ回路４１ｃより出力された４画素分のデータ信号（例えば、ｄ１〜ｄ４）が入力される他、補正データｄａｍｄも入力される。この補正データｄａｍｄは、後述する補正電圧Ｖａｍｄの電圧レベルを規定するデジタルデータである。切替スイッチ群４１ｄを構成する５つのスイッチは、４つの制御信号ＣＮＴ１〜ＣＮＴ５のいずれかによって導通制御され、オフセットしたタイミングで択一的に順次オンしていく。これによって、１Ｈにおいて、補正データｄａｍｄと４画素分のデータ信号ｄ１〜ｄ４とのセットは、この順序（ｄａｍｄ，ｄ１，ｄ２，ｄ３，ｄ４の順）で時系列化され、切替スイッチ群４１ｄより時系列的に出力される。
【００４３】
Ｄ／Ａ（Digital to Analog）変換回路４１ｅは、それぞれの切替スイッチ群４１ｄから出力された一連のデジタルデータをＤ／Ａ変換し、アナログデータとしての電圧を生成する。これにより、補正データｄａｍｄは補正電圧Ｖａｍｄに変換され、４画素単位で時系列化されたデータ信号ｄ１〜ｄｍはデータ電圧に変換された上で、出力ピンＰＩＮ１〜ＰＩＮｉより時系列的に出力される。
【００４４】
図１に示したように、ドライバＩＣ４１の出力ピンＰＩＮ１〜ＰＩＮｉには、出力線ＤＯ１〜ＤＯｉのいずれかが接続されている。１本の出力線ＤＯには、互いに隣接した４本のデータ線Ｘがグループ化されて対応付けられており、出力線ＤＯとグループ化されたデータ線Ｘとの間には、時分割回路４２が出力線単位で設けられている。尚、このようにグループ化された４本のデータ線Ｘは、本発明に係る「データ線群」の一例である。それぞれの時分割回路４２は、グループ化されたデータ線Ｘの本数に相当する４個の選択スイッチを有しており、それぞれの選択スイッチは、制御回路５からの選択信号ＳＳ１〜ＳＳ４のいずれかによって導通制御される。選択信号ＳＳ１〜ＳＳ４は、同一のグループ内における選択スイッチのオン期間を規定しており、ドライバＩＣ４１からの時系列的な信号出力と同期している。ｉ個の時分割回路４２は、同様の構成を有しており、且つ、すべてが同時並行的に動作するので、以下の説明では、データ電圧Ｖ１〜Ｖ４が出力される出力線ＤＯ１系のみに着目して説明する。
【００４５】
図４において、出力線ＤＯ１に接続された最左の時分割回路４２は、４本のデータ線Ｘ１〜Ｘ４において、出力線ＤＯ１に出力された補正電圧Ｖａｍｄをデータ線Ｘ１とデータ線Ｘ２との２本のデータ線に対し同時に供給する。続いて、残りのデータ線Ｘ３とデータ線Ｘ４との２本のデータ線に対しても、同時に補正電圧Ｖａｍｄを供給する。補正電圧が供給されると共に、この時分割回路４２は、時系列的な４画素分のデータ電圧Ｖ１〜Ｖ４を時分割し、これにより得られた個々のデータ電圧Ｖをデータ線Ｘ１〜Ｘ４のいずれかに振り分ける。具体的には、１フィールドにおける最初の１Ｈでは、走査信号ＳＥＬ１がＨレベルになって、最上の走査線Ｙ１が選択される。この１Ｈにおいて、出力線ＤＯ１には、まず補正電圧Ｖａｍｄが出力され、これに続いて、データ線Ｘ１〜Ｘ４と走査線Ｙ１との各交差に対応する４画素分のデータ電圧Ｖ１〜Ｖ４（最初の１ＨではＶ（１，１），Ｖ（２，１），Ｖ（３，１），Ｖ(４，１)に相当）が順次出力される。
【００４６】
出力線ＤＯ１に補正電圧Ｖａｍｄが出力されている状態において、ＳＳ１とＳＳ２との組，ＳＳ３とＳＳ４との組の順序で順次Ｈレベルになって、時分割回路４２を構成する４つのスイッチは２つずつ順次オンする。これにより、出力線ＤＯ１に出力された補正電圧Ｖａｍｄがデータ線Ｘ１〜Ｘ４に２本毎に順次供給される。即ち、データ電圧Ｖ（１，１），Ｖ（２，１），Ｖ（３，１），Ｖ（４，１）の供給に先立ち、補正電圧Ｖａｍｄによるデータ線Ｘ１〜Ｘ４の充放電が行われる。補正電圧Ｖａｍｄは、縦クロストークの影響を低減するための電圧であり、本実施形態では一定値０［Ｖ］に設定されている。
【００４７】
次に、出力線ＤＯ１にデータ電圧Ｖ（１，１）が出力されている状態では、選択信号ＳＳ１のみがＨレベルになって、時分割回路４２を構成するスイッチのうち、データ線Ｘ１に対応するスイッチのみがオンする。これにより、出力線ＤＯ１に出力されたデータ電圧Ｖ（１，１）がデータ線Ｘ１に供給され、このデータ電圧Ｖ（１，１）に応じて、画素（１，１）に対するデータの書き込みが行われる。出力線ＤＯ１にデータ電圧Ｖ（１，１）が出力されている間は、データ線Ｘ２，Ｘ３，Ｘ４に対応するスイッチはオフのままなので、データ線Ｘ２，Ｘ３，Ｘ４上の電圧は、補正電圧Ｖａｍｄに維持される（正確には、電圧レベルはリークによって経時的に減少していく）。
【００４８】
続いて、出力線ＤＯ１にデータ電圧Ｖ（２，１）が出力されている状態では、選択信号ＳＳ２のみがＨレベルになって、時分割回路４２を構成するスイッチのうち、データ線Ｘ２に対応するスイッチのみがオンする。これにより、出力線ＤＯ１に出力されたデータ電圧Ｖ（２，１）がデータ線Ｘ２に供給され、このデータ電圧Ｖ（２，１）に応じて、画素（２，１）に対するデータの書き込みが行われる。出力線ＤＯ１にデータ電圧Ｖ（２，１）が出力されている間は、データ線Ｘ１，Ｘ３，Ｘ４に対応するスイッチはオフのままなので、データ線Ｘ１はデータ電圧Ｖ（１，１）、データ線Ｘ３及びＸ４は補正電圧Ｖａｍｄにそれぞれ維持される。
【００４９】
同様に、出力線ＤＯ１にデータ電圧Ｖ（３，１）が出力されている状態では、選択信号ＳＳ３のみがＨレベルになって、時分割回路４２を構成するスイッチのうち、データ線Ｘ３に対応するスイッチのみがオンする。これにより、出力線ＤＯ１に出力されたデータ電圧Ｖ（３，１）がデータ線Ｘ３に供給され、このデータ電圧Ｖ（３，１）に応じて、画素（３，１）に対するデータの書き込みが行われる。出力線ＤＯ１にデータ電圧Ｖ（３，１）が出力されている間は、データ線Ｘ１，Ｘ２，Ｘ４に対応するスイッチはオフのままなので、データ線Ｘ１はデータ電圧Ｖ（１，１）、データ線Ｘ２はデータ電圧Ｖ（２，１）、データ線Ｘ４は補正電圧Ｖａｍｄにそれぞれ維持される。
【００５０】
最後に、出力線ＤＯ１にデータ電圧Ｖ（４，１）が出力されている状態では、選択信号ＳＳ４のみがＨレベルになって、時分割回路４２を構成するスイッチのうち、データ線Ｘ４に対応するスイッチのみがオンする。これにより、出力線ＤＯ１に出力されたデータ電圧Ｖ（４，１）がデータ線Ｘ４に供給され、このデータ電圧Ｖ（４，１）に応じて、画素（４，１）に対するデータの書き込みが行われる。出力線ＤＯ１にデータ電圧Ｖ（４，１）が出力されている間は、データ線Ｘ１，Ｘ２，Ｘ３に対応するスイッチはオフのままなので、データ線Ｘ１はデータ電圧Ｖ（１，１）、データ線Ｘ２はデータ電圧Ｖ（２，１）、データ線Ｘ３はデータ電圧Ｖ（３，１）にそれぞれ維持される。
【００５１】
次の１Ｈでは、走査信号ＳＥＬ２がＨレベルになって、上から２番目の走査線Ｙ２が選択される。この１Ｈにおいて、出力線ＤＯ１には、まず補正電圧Ｖａｍｄが出力され、これに続いて、データ線Ｘ１〜Ｘ４と走査線Ｙ２との各交差に対応する４画素分のデータ電圧Ｖ１〜Ｖ４（今回の１ＨではＶ（１，２），Ｖ（２，２），Ｖ（３，２），Ｖ（４，２）に相当）が順次出力される。この１Ｈにおけるプロセスは、出力線ＤＯ１に出力される電圧の極性が反転している点を除けば、先の１Ｈと同様であり、補正電圧Ｖａｍｄの供給と、時系列的なデータ電圧Ｖ（１，２），Ｖ（２，２），Ｖ（３，２）の振り分けとが行われる。これ以降についても同様であり、最下の走査線Ｙｎが選択されるまで、１Ｈ毎に極性反転を行いながら、それぞれの画素行に対する補正電圧Ｖａｍｄの供給と、これに続くデータ電圧Ｖ１〜Ｖ４の振り分けとが線順次的に行われていく。尚、図４において、出力線ＤＯ１に出力される電圧の極性が１Ｈ期間ごとに反転した例で示してあるが、１フィールドごとに極性反転する場合や１フレームごとに極性反転する場合も同様に動作する。
【００５２】
尚、出力線ＤＯ２系については、振分対象となる電圧がＶ５〜Ｖ８、振分対象となるデータ線がＸ５〜Ｘ８になる点を除けば、上述した出力線ＤＯ１系と同一のプロセスが並行して行われる。この点は、出力線ＤＯｉに至るまでの各系についても同様である。
【００５３】
データ電圧Ｖ（１，１），Ｖ（２，１），Ｖ（３，１），Ｖ（４，１）をデータ線Ｘ１〜Ｘ４に供給する順序は、補正電圧Ｖａｍｄをデータ線Ｘ１〜Ｘ４に振り分ける順序と関連付けて設定されている。図４に示したように、補正電圧Ｖａｍｄの振り分け順序はＸ１とＸ２との組，Ｘ３とＸ４との組の順であるから、データ電圧Ｖの供給は、Ｖ（１，１），及びＶ（２，１）の方が、Ｖ（３，１）及びＶ（４，１）より先に行われる。尚、本実施形態では、Ｖ（１，１），Ｖ（２，１），Ｖ（３，１），Ｖ（４，１）の順で供給しているが、例えば、Ｖ（２，１），Ｖ（１，１），Ｖ（４，１），Ｖ（３，１）の順で供給されてもよい。
【００５４】
このように本実施形態では、複数のデータ線（例えばＸ１〜Ｘ４）に対応して設けられた、ある出力線ＤＯ１に対して、１Ｈにおいて、所定の電圧レベルを有する補正電圧Ｖａｍｄと、時系列的なデータ電圧Ｖ１〜Ｖ４とが順次出力される。時分割回路４２は、出力線ＤＯ１に出力された補正電圧Ｖａｍｄを複数のデータ線Ｘ１〜Ｘ４に２本ずつ順次供給する。それと共に、時分割回路４２は、出力線ＤＯ１に出力された時系列的なデータ電圧Ｖ１〜Ｖ４を時分割し、これにより得られた個々のデータ電圧Ｖを複数のデータ線Ｘ１〜Ｘ４のいずれかに振り分ける。データ線Ｘ１〜Ｘ４に対して、同様の補正電圧Ｖａｍｄを供給することにより、補正電圧Ｖａｍｄを供給しない場合と比較して、データ線Ｘ１〜Ｘ４の平均電圧のバラツキが減少し、これらの平均電圧が均一化する方向に作用する。
【００５５】
一般に、画素２とデータ線Ｘとの間には容量結合が存在し、かつ、両者間にリーク電流も流れるため、画素２に書き込まれた電圧（液晶の印加電圧）は、データ線Ｘの電圧変化に伴い変動することが知られている。そして、データ線Ｘに沿った方向に生じる縦クロストークは、このような印加電圧の変動のバラツキが画素列単位で生じることに起因した現象であることも知られている。本実施形態では、個々のデータ電圧Ｖの供給に先立ち、同様の補正電圧Ｖａｍｄをデータ線Ｘ１〜Ｘ４に強制的に供給することで、データ線Ｘ１〜Ｘ４の平均電圧のバラツキを減少させる。それぞれのデータ線Ｘ１〜Ｘ４に接続された４つの画素列の印加電圧は、対応するデータ線Ｘ１〜Ｘ４の電圧変化によって変動するものの、データ線Ｘ１〜Ｘ４の平均電圧が均一化された分だけ、同じような変動幅で変動することになる。このようにして、印加電圧の変動幅を均一化させることで、縦クロストークが目立たなくなり、表示品質の向上を図ることが可能となる。
【００５６】
尚、上述した実施形態では、補正電圧Ｖａｍｄをデータ電圧Ｖ（駆動電圧）のほぼ中間値である０［Ｖ］に設定しているが、液晶のオフ電圧（０Ｖ）とオン電圧（５Ｖ或いは−５Ｖ）の組合せや、オン電圧（５Ｖ或いは−５Ｖ）や、オンとオフ電圧の中間的な電圧、或いは、同時に補正電圧Ｖａｍｄを印加するデータ線に印加するデータ電圧のほぼ平均（例えば、Ｖ１とＶ２との平均やＶ３とＶ４との平均）となる補正電圧であってもよく、具体的な値は、表示パネルの特性やＴＦＴの特性に応じて適宜設定すればよい。補正電圧Ｖａｍｄは、回路構成の複雑さ等を考慮すると、表示すべき画素２の階調に依存しない電圧であることが好ましいが、表示データＤの平均値等に応じて、可変に設定することも可能である。また、所定の期間（例えば１Ｈ）毎に、０［Ｖ］と５［Ｖ］とを交互に切り替えてもよい。この点は、後述する各実施形態においても同様である。
【００５７】
＜第２実施形態＞
次に、第２実施形態に係る電気光学装置について、図５を参照して説明する。ここに図５は、第２実施形態に係る電気光学装置の時分割駆動のタイミングチャートである。
【００５８】
図５において、時分割回路４２は、時系列的なデータ電圧（例えばＶ１〜Ｖ４）をデータ線Ｘ１〜Ｘ４に振り分ける振分期間Ｔ２よりも短い供給期間Ｔ１で、補正電圧Ｖａｍｄをデータ線Ｘ１〜Ｘ４に順次供給する。尚、これ以外の点は、上述した第１実施形態と同様であるから、ここでの説明を省略する。
【００５９】
本実施形態によれば、補正電圧供給期間Ｔ１をデータ電圧振分期間Ｔ２よりも短く設定することにより、供給期間Ｔ１を短くした分だけ、データの書込期間の確保が容易になるので（特に、データ線Ｘ４に対応する画素列の時間的制約が緩和される）、高精細化への対応が容易になる。
【００６０】
＜第３実施形態＞
次に、第３実施形態に係る電気光学装置について、図６を参照して説明する。ここに図６は、第３実施形態に係るドライバＩＣの構成を示すブロック図である。
【００６１】
図６において、ドライバＩＣ４１の構成は、図３に示した構成とＤ／Ａ変換回路４１ｅの後段に、切替スイッチ群４１ｄを設けた点で異なっている。尚、単一の切替スイッチ群４１ｄは、その入力がアナログ電圧であるから、図３の場合（即ち、６ビット分のスイッチ群が設けられている構成）とは異なり、図示したような４つのスイッチのみで構成されている。尚、これ以外の点については、第１実施形態と同様であるから、同一の符号を付してここでの説明を省略する。
【００６２】
ある切替スイッチ群４１ｄには、Ｄ／Ａ変換回路４１ｅより出力された４画素分のデータ電圧（例えば、Ｖ１〜Ｖ４）が入力される他、補正電圧Ｖａｍｄも入力される。そして、切替スイッチ群４１ｄを構成する５つのスイッチは、５つの制御信号ＣＮＴ１〜ＣＮＴ５のいずれかによって導通制御され、オフセットしたタイミングで択一的に順次オンしていく。これによって、１Ｈにおいて、補正電圧Ｖａｍｄ及び４画素分のデータ電圧Ｖ１〜Ｖ４は、この順序（Ｖａｍｄ，Ｖ１，Ｖ２，Ｖ３,Ｖ４の順）で時系列化され、対応する出力ピンＰＩＮよりシリアルに出力される。
【００６３】
本実施形態によれば、第１実施形態と同様に、縦クロストークの低減による表示品質の向上を図ることが可能となる。
【００６４】
＜第４実施形態＞
次に、第４実施形態に係る電気光学装置について、図７を参照して説明する。ここに図７は、第４実施形態に係る電気光学装置の時分割駆動のタイミングチャートである。
【００６５】
図７において、所定の期間（例えば１Ｈ）毎に、時分割回路４２を構成するスイッチの選択順序を入れ替えることにより、補正電圧Ｖａｍｄ及びデータ電圧Ｖをデータ線Ｘに振り分ける順序を入れ替える。これにより、それぞれの出力線ＤＯに供給された補正電圧Ｖａｍｄ及びデータ電圧Ｖの供給の順序が１Ｈ毎に逆転する。尚、これ以外の点については上述した第１実施形態と同様であるから、ここでの説明を省略する。
【００６６】
先ず、最初の１Ｈでは、第１実施形態と同様に、出力線ＤＯ１に対して、補正電圧Ｖａｍｄがデータ線Ｘ１とＸ２との組、Ｘ３とＸ４との組の順に供給された後、４画素分のデータ電圧Ｖ（１，１），Ｖ（２，１），Ｖ（３，１），Ｖ（４，１）が、この順序で時系列的に供給される。そして、次の１Ｈでは、出力線ＤＯ１に対して、補正電圧Ｖａｍｄがデータ線Ｘ３とＸ４との組、Ｘ１とＸ２との組の順で供給された後、４画素分のデータ電圧Ｖ（２，２），Ｖ（１，２），Ｖ（４，２），Ｖ（３，２）が、この順序で時系列的に供給される。
【００６７】
本実施形態によれば、データ線Ｘ１〜Ｘ４の電圧が補正電圧Ｖａｍｄに維持される期間が、データ線Ｘ１とＸ２との組、及びＸ３とＸ４との組で夫々平均化されるので、図４に示した時分割駆動と比較して、表示品質の一層の向上を図ることができる。ここで、図４の駆動を参照すると、各データ線Ｘ１〜Ｘ４の電圧が補正電圧Ｖａｍｄに維持される期間は同一ではなく、データ線Ｘ１，Ｘ２の順、或いはＸ３，Ｘ４の順に長くなっている。これに対して、本実施形態のように、補正電圧Ｖａｍｄ及びデータ電圧Ｖ１〜Ｖ４をデータ線Ｘ１〜Ｘ４に振り分ける順序を１Ｈ毎に入れ替えれば、各データ線Ｘ１〜Ｘ４の電圧が補正電圧Ｖａｍｄに維持される期間をデータ線Ｘ１とＸ２との組、及びＸ３とＸ４との組で夫々平均化することができる。これにより、各データ線Ｘ１〜Ｘ４における平均電圧の差をより有効に減少でき、これらに接続された画素列に書き込まれたデータの変動を一層均一化させることが可能になる。換言すれば、補正電圧Ｖａｍｄの維持時間を平均化することにより、データ線Ｘ１〜Ｘ４のそれぞれに作用するクロストークのキャンセル効果の偏在を抑制することができる。
【００６８】
尚、本実施形態では、データ電圧Ｖをデータ線Ｘに振り分ける順序を、１本の走査線Ｙが選択される期間（１Ｈ）毎に入れ替えているが、すべての走査線Ｙ１〜Ｙｎが選択される期間（１フィールド）毎に入れ替えてもよく、また、１Ｈ毎かつ１フィールド毎に入れ替えを行うことも可能である。
【００６９】
＜第５実施形態＞
次に、第５実施形態に係る電気光学装置について、図８を参照して説明する。ここに図８は、第５実施形態に係る電気光学装置の時分割駆動のタイミングチャートである。尚、本実施形態では、上述した第１実施形態と比較して液晶の駆動方式が異なり、他の構成や基本的な動作は同様であるため、それらは適宜省略して説明する。
【００７０】
図８において、電圧Ｖｌｃｏｍの極性は、極性指示信号ＦＲによって規定され、１フィールド毎に反転する。補正電圧Ｖａｍｄは、極性が切り替わっても、ほぼ同じ電圧レベル（０［Ｖ］）に維持される。即ち、本実施形態は、液晶の交流化駆動の一方式として、対向電極２２ｂに印加される電圧Ｖｌｃｏｍを可変に設定するコモンＡＣ駆動に関する。
【００７１】
本実施形態によれば、上述した各実施形態と同様に、補正電圧Ｖａｍｄを出力することにより、縦クロストークを低減することができ、表示品質の向上を図ることができる。
【００７２】
尚、上述した各実施形態では、時分割回路４２で４分割した例について説明しているが、３分割、５分割、６分割、７分割、８分割、・・・といくつに分割してもよく、同様に駆動できる。
【００７３】
＜電子機器＞
次に、上述した電気光学装置である液晶装置をライトバルブとして用いたプロジェクタについて説明する。図９は、プロジェクタの構成例を示す平面図である。
【００７４】
図９に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００７５】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００７６】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００７７】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００７８】
尚、図９を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００７９】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００８０】
本発明は、上述した実施形態に限られるものではなく、請求の範囲及び明細書全体から読み取れる発明の要旨或いは思想に反しない範囲で適宜変更可能であり、そのような変更を伴う電気光学装置、電気光学装置の駆動方法及び該電気光学装置を備えてなる電子機器もまた本発明の技術的範囲に含まれるものである。
【図面の簡単な説明】
【００８１】
【図１】第１実施形態に係る電気光学装置の構成を示すブロック図である。
【図２】第１実施形態に係る画素部の構成を示す等価回路図である。
【図３】第１実施形態に係るドライバＩＣの構成を示すブロック図である。
【図４】第１実施形態に係る電気光学装置の時分割駆動のタイミングチャートである。
【図５】第２実施形態に係る電気光学装置の時分割駆動のタイミングチャートである。
【図６】第３実施形態に係るドライバＩＣの構成を示ブロック図である。
【図７】第４実施形態に係る電気光学装置の時分割駆動のタイミングチャートである。
【図８】第５実施形態に係る電気光学装置の時分割駆動のタイミングチャートである。
【図９】電気光学装置を適用した電子機器の一例たるプロジェクタの構成を示す平面図である。
【符号の説明】
【００８２】
１…表示部、２…画素、３…走査線駆動回路、４…データ線駆動回路、５…制御回路、６…フレームメモリ、７…補正電圧回路、４１…ドライバＩＣ、４１ａ…Ｘシフトレジスタ、４１ｂ…第１のラッチ回路、４１ｃ…第２のラッチ回路、４１ｄ…切替スイッチ群、４１ｅ…Ｄ／Ａ変換回路、４２…時分割回路、出力線…ＤＯｉ、データ線…Ｘｍ、走査線…Ｙｎ
【図１】
2008225036.tif 000003
【図２】
2008225036.tif 000004
【図３】
2008225036.tif 000005
【図４】
2008225036.tif 000006
【図５】
2008225036.tif 000007
【図６】
2008225036.tif 000008
【図７】
2008225036.tif 000009
【図８】
2008225036.tif 000010
【図９】
2008225036.tif 000011